(57)【要約】      （修正有）【課題】上扉の開放に伴い簡単且つ容易にノズルを取り出して迅速な消火作業を可能とする。【解決手段】トンネル壁面に沿った監視員通路に消火栓収納箱が埋込み設置され、内部に泡ノズル７８付きのホース７６が収納される。道路側となる筐体３１の前面扉開口３３に、前扉３２が上下方向にスライド開閉自在に配置される。監視員通路側となる筐体３１の上面扉開口に、第１上扉３４が筐体３１の前縁コーナー部のヒンジ４６を軸として後開きが自在に軸支され、第１上扉３４の第２上面扉開口に、ヒンジを軸として第２上扉３６が前開き自在に軸支される。第２上扉３６の裏面にノズルホルダー８８とホースホルダー９０が連設され、泡ノズル７８及びホース７６の連結部分が着脱自在に係止されている。【選択図】図５
2018158037.tif 000002
【特許請求の範囲】
【請求項１】
（第１発明：ノズルホルダーとホースホルダーの連設構造）
筐体の内部にノズル付きのホースが収納された消火栓収納箱に於いて、
前記筐体の上面に形成された上面扉開口に、上下回りに開閉自在に軸支された上扉と、
前記上扉の裏面に配置され、前記ホースの先端に設けられた前記ノズルを着脱自在に係止させるノズルホルダーと、
前記ノズルホルダーに続いて前記上扉の裏面に配置され、前記ノズルに連結された前記ホース先端側を着脱自在に係止させるホースホルダーと、
が設けられたことを特徴とする消火栓収納箱。
【請求項２】
請求項１記載の消火栓収納箱に於いて、前記ノズルホルダー及び前記ホースホルダーは、前記上扉が開閉される軸心線と平行な軸心線に沿って前記上扉の裏面に配置されたことを特徴とする消火栓収納箱。
【請求項３】
筐体の内部にノズル付きのホースが収納された消火栓収納箱に於いて、
前記ノズルには、先端に放水口を備えた円筒状のノズル本体の中心軸線に対し所定角度で交差する方向にホース接続部が設けられており、
前記筐体の上面に形成された上面扉開口に上下回りに開閉自在に軸支された上扉の裏面に、前記ノズルを着脱自在に係止させる一対のノズルホルダーが設けられたことを特徴とする消火栓収納箱。
【請求項４】
請求項３記載の消火栓収納箱に於いて、前記一対のノズルホルダーは、前記上扉が開閉される軸心線と平行な軸心線に沿って前記上扉の裏面に配置されたことを特徴とする消火栓収納箱。
【請求項５】
筐体の内部にノズル付きのホースが収納された消火栓収納箱に於いて、
前記筐体の上面に形成された上面扉開口に、上下回りに開閉自在に軸支された上扉と、
前記上扉の裏面に配置され、前記ノズルの逆テーパ先端部を扉裏面に直交する方向から受け入れて抜け落ちしないように保持するダルマ穴が開口された箱形のノズルホルダーと、
が設けられたことを特徴とする消火栓収納箱。
【請求項６】
請求項５記載の消火栓収納箱に於いて、前記ノズルホルダーの前記ダルマ
穴は、前記逆テーパ先端部の先端大径部を嵌め入れる大径穴に続いて前記逆テーパ先端部の付け根側の小径部を嵌め入れてスライドさせる長穴とが連設されたことを特徴とする消火栓収納箱。
【請求項７】
請求項６記載の消火栓収納箱に於いて、前記大径穴と前記長穴は、前記上扉が開閉される軸心線と平行な軸心線に沿って形成されたことを特徴とする消火栓収納箱。
【請求項８】
請求項５記載の消火栓収納箱に於いて、前記箱形のノズルホルダーは、前記上扉の裏面に、前記上扉を前開きした場合に箱型開口が上向きとなり、前記上扉を後開きした場合に箱形開口が上扉裏面に当接するように、前記上扉の裏面に回動自在に配置されたことを特徴とする消火栓収納箱。
【請求項９】
請求項１、３又は５に記載の消火栓収納箱に於いて、前記ノズルは前記ホースとの間を相対回転自在に連結させる回転自在継手が設けられたことを特徴とする消火栓収納箱。
【請求項１０】
請求項１、３又は５に記載の消火栓収納箱に於いて、前記上扉は、前記筐体の前記上面扉開口に、前記上扉の後縁部を軸として前開き自在に軸支されると共に、前記上扉の前縁部を軸として後開き自在に軸支されたことを特徴とする消火栓収納箱。
【請求項１１】
請求項１、３又は５に記載の消火栓収納箱に於いて、前記上扉は、
前記上面扉開口に、前記筐体の前縁コーナー部を軸として後開き自在に軸支された第１上扉と、
前記第１上扉に形成された扉開口に、扉後縁部を軸として前開き自在に軸支された第２上扉と、
により構成され、前記第２上扉の裏面に前記ノズルホルダーが設けられたことを特徴とする消火栓収納箱。
【発明の詳細な説明】
【技術分野】
【０００１】
本発明は、ノズル付きホースを引き出して消火用水又は消火泡を放出させる消火栓収納箱に関する。
【背景技術】
【０００２】
従来、高速道路や自動車専用道路などのトンネル内に設置するトンネル非常用設備として消火栓装置が設けられており、消火栓装置は開放自在な消火栓扉を備え、先端にノズルを装着したホースと消火栓弁を含むバルブ類を収納している。
【０００３】
消火栓装置は、一般的に、トンネル側壁に沿って例えば５０メートル間隔でトンネル壁面に埋込み設置されている。火災を伴う車両事故が発生した場合には、監視員通路のあるトンネルでは、事故車両の運転者等の道路利用者は監視員通路の側面に設置されたステップ等により監視員通路に登り、トンネル壁面に設置された消火栓装置の消火栓扉を前方に開放してノズル付きのホースを取出して消火作業を行うようにしている。
【０００４】
監視員通路は路面に対し高くした側壁通路として設けられ、トンネル内の車両通行を妨げることなく且つ安全にトンネル内に設置している消火栓装置を含む各種の機器の点検を行うことを可能としている。
【０００５】
また、監視員通路のないトンネルにあっては、事故車両の運転者等の道路利用者は、トンネル壁面に設置された消火栓装置に近づき、同様に、消火栓扉を前方に開放してノズル付きのホースを取出して消火作業を行うようにしている。
【先行技術文献】
【特許文献】
【０００６】
【特許文献１】特開２００６−１８１０５７号公報
【特許文献２】特開２００８−０５５０２４号公報
【特許文献３】特開２００９−２８５１２６号公報
【発明の概要】
【発明が解決しようとする課題】
【０００７】
ところで、シールド工法等により作られた都市型トンネルにあっては、トンネル壁面に消火栓装置を埋込み設置できない構造であり、監視員通路側面（壁面）に消火栓装置を埋込み設置する必要がある。
【０００８】
しかしながら、従来の消火栓のように扉を前開きする消火栓装置を監視員通路に設置した場合には、消火栓扉が開くと建築限界を超えて道路側に飛び出す問題がある。
【０００９】
この問題を解決するため、監視員通路内に消火栓収納箱を埋込み設置し、道路側に面してスライド開閉される前扉を設けると共に、監視員通路面に上向きに開閉される上扉を設けた消火栓収納箱が提案されている。
【００１０】
このように監視員通路に埋込み設置された消火栓収納箱によれば、車両事故による火災の発生時に、利用者は、道路に面した前扉を開くことで、ホース収納部から簡単且つ容易にノズル付きホースを引き出して消火を行うことができる。また、消火栓装置の前に車両が停止して前扉からの操作ができない場合には、監視員通路の上扉を開くことで、停止車両に妨げられることなく、ノズル付きホースを引き出して消火を行うことができる。
【００１１】
この場合、ホースは消火栓収納箱の中に水平回りに内巻きされた状態で収納されており、ホース先端に設けられたノズルは、内巻きされた上側のホースに嵌め入れたノズルホルダーに着脱自在に保持されている。
【００１２】
しかしながら、前扉をスライド開閉すると共に上扉を前開きして道路側からノズルを取り出す場合、又は、上扉を後ろ開きして監視員通路側からノズルを取り出す場合のいずれにあっても、扉開口からホース収納部に手を入れてノズルを取り出す操作が必要となり、トンネル内の照明では扉を開いてもホース収納部は見えにくく、車両事故により火災か発生しているといった緊迫した状況での消火作業に手間取る場合がある。
【００１３】
本発明は、上扉の開放に伴い簡単且つ容易にノズルを取り出して迅速な消火作業を可能とする消火栓収納箱を提供することを目的とする。
【課題を解決するための手段】
【００１４】
（第１発明：ノズルホルダーとホースホルダーの連設構造）
本発明は、筐体の内部にノズル付きのホースが収納された消火栓収納箱に於いて、
筐体の上面に形成された上面扉開口に、上下回りに開閉自在に軸支された上扉と、
上扉の裏面に配置され、ホースの先端に設けられたノズルを着脱自在に係止させるノズルホルダーと、
ノズルホルダーに続いて上扉の裏面に配置され、ノズルに連結されたホース先端側を着脱自在に係止させるホースホルダーと、
が設けられたことを特徴とする。
【００１５】
（上扉軸心線と平行にノズルホルダーとホースホルダーを配置）
ノズルホルダー及びホースホルダーは、上扉が開閉される軸心線と平行な軸心線に沿って上扉の裏面に配置される。
【００１６】
（第２発明：ノズルホルダーとホースホルダーの連設構造）
本発明は、筐体の内部にノズル付きのホースが収納された消火栓収納箱に於いて、
ノズルには、先端に放水口を備えた円筒状のノズル本体の中心軸線に対し所定角度で交差する方向にホース接続部が設けられており、
筐体の上面に形成された上面扉開口に上下回りに開閉自在に軸支された上扉の裏面に、ノズルを着脱自在に係止させる一対のノズルホルダーが設けられたことを特徴とする。
【００１７】
（上扉軸心線と平行にノズルホルダー配置）
一対のノズルホルダーは、上扉が開閉される軸心線と平行な軸心線に沿って上扉の裏面に配置される。
【００１８】
（第３発明：ダルマ穴を備えたノズルホルダー）
本発明は、筐体の内部にノズル付きのホースが収納された消火栓収納箱に於いて、
筐体の上面に形成された上面扉開口に、上下回りに開閉自在に軸支された上扉と、
上扉の裏面に配置され、ノズルの逆テーパ先端部を扉裏面に直交する方向から受け入れて抜け落ちしないように保持するダルマ穴が開口された箱形のノズルホルダーと、
が設けられたことを特徴とする。
【００１９】
（ダルマ穴）
ノズルホルダーのダルマ穴は、逆テーパ先端部の先端大径部を嵌め入れる大径穴に続いて逆テーパ先端部の付け根側の小径部を嵌め入れてスライドさせる長穴とが連設される。
【００２０】
（上扉軸心線と平行にノズルホルダー配置）
大径穴と長穴は、上扉が開閉される軸心線と平行な軸心線に沿って形成される。
【００２１】
（第３発明の変形：扉裏面に箱形ホルダーを回動自在に配置）
箱形のノズルホルダーは、上扉の裏面に、上扉を前開きした場合に箱型開口が上向きとなり、上扉を後開きした場合に箱形開口が上扉裏面に当接するように、上扉の裏面に回動自在に配置される。
【００２２】
（スイベルジョイント）
第１乃至第３発明の消火栓収納箱に於いて、ノズルとホースとの間を相対回転自在に連結させる回転自在継手が設けられる。
【００２３】
（上扉の前開き及び後開き構造）
上扉は、筐体の上面扉開口に、上扉の後縁部を軸として前開き自在に軸支されると共に、上扉の前縁部を軸として後開き自在に軸支される。
【００２４】
（上扉のダブル扉構造）
上扉は、
上面扉開口に、筐体の前縁コーナー部を軸として後開き自在に軸支された第１上扉と、
第１上扉に形成された扉開口に、扉後縁部を軸として前開き自在に軸支された第２上扉と、
により構成され、第２上扉の裏面にノズルホルダーが設けられる。
【発明の効果】
【００２５】
（基本的な効果）
（第１発明の効果）
本発明は、筐体の内部にノズル付きのホースが収納された消火栓収納箱に於いて、筐体の上面に形成された上面扉開口に、上下回りに開閉自在に軸支された上扉と、上扉の裏面に配置され、ホースの先端に設けられたノズルを着脱自在に係止させるノズルホルダーと、ノズルホルダーに続いて上扉の裏面に配置され、ノズルに連結されたホース先端側を着脱自在に係止させるホースホルダーとが設けられたため、上扉を開放すると、開放された上扉の裏面のノズルホルダーとホースホルダーにより、ノズル及びノズルに対するホースの連結部分が横向きに係止されており、扉開口から筐体内に手を入れることなく、目の前に出現したノズルの取出しを容易に行うことを可能し、火災時の消火活動の迅速性と確実性が向上する。
【００２６】
（上扉軸心線と平行にノズルホルダーとホースホルダーを配置による効果）
また、ノズルホルダー及びホースホルダーは、上扉が開閉される軸心線と平行な軸心線に沿って上扉の裏面に配置されるため、上扉は道路側からの前開きと監視員通路側からの後開きという両開きとなるが、いずれの場合も上扉の開放に伴いホースが引き上げられる移動長さは同じとなり、上扉を両開きする場合の回転力が偏らず、均等でスムースに上扉を開けることができ、結果として、火災時の消火活動の迅速性と確実性が向上し、また、故障の度合いも低減可能とする。
【００２７】
（第２発明の効果）
本発明は、筐体の内部にノズル付きのホースが収納された消火栓収納箱に於いて、ノズルには、先端に放水口を備えた円筒状のノズル本体の中心軸線に対し所定角度で交差する方向にホース接続部が設けられており、筐体の上面に形成された上面扉開口に上下回りに開閉自在に軸支された上扉の裏面に、ノズルを着脱自在に係止させる一対のノズルホルダーが設けられたため、上扉の裏面に設けた一対のノズルホルダーにノズルを係止しても例えば斜め下向きのホース接続部にホースが連結されていることから、上扉を開いた場合のノズルの動きに対しホースを無理なく移動させることができ、上扉を開く場合の回転力を低減して上扉をスムースに開くことができ、火災時の消火活動の迅速性と確実性を向上可能とする。
【００２８】
（上扉軸心線と平行にノズルホルダー配置による効果）
また、一対のノズルホルダーは、前記上扉が開閉される軸心線と平行な軸心線に沿って上扉の裏面に配置されているため、第１発明の場合と同様に、上扉の前開きと後開きのいずれの場合も上扉の開放に伴いホースが引き上げられる移動長さは同じとなり、上扉を両開きする場合の回転力が偏らず、均等でスムースに上扉を開けることができ、結果として、火災時の消火活動の迅速性と確実性が向上し、また、故障の度合いも低減可能とする。
【００２９】
（第３発明の効果）
本発明は、筐体の内部にノズル付きのホースが収納された消火栓収納箱に於いて、筐体の上面に形成された上面扉開口に、上下回りに開閉自在に軸支された上扉と、上扉の裏面に配置され、ノズルの逆テーパ先端部を扉裏面に直交する方向から受け入れて抜け落ちしないように保持するダルマ穴が開口された箱形のノズルホルダーとが設けられたため、ノズルは上扉の裏面に設けた箱形のノズルホルダーに設けたダルマ穴に対する逆テーパ先端部の嵌め込みにより垂直に係止されており、上扉の前開き又は後開きの何れにおいても、開放された上扉の裏面に垂直となる横方向にホース先端に連結されたノズルが位置し、扉開口から筐体内に手を入れることなく、目の前に出現したノズルの取出しを容易に行うことを可能し、火災時の消火活動の迅速性と確実性が向上する。
【００３０】
（ダルマ穴による効果）
また、ノズルホルダーのダルマ穴は、逆テーパ先端部の先端大径部を嵌め入れる大径穴に続いて逆テーパ先端部の付け根側の小径部を嵌め入れてスライドさせる長穴とが連設されているため、ノズルの装着は、ダルマ穴の大径部に、ノズルの逆テーパ先端部を嵌め入れて長穴にスライドさせることで、抜け止め状態に係止でき、また、上扉を開いてノズルを取り出す場合には、ノズルを長穴から大径穴の位置までスライドさせることで抜き出すことができ、上扉裏面に垂直な状態でのノズルの係止と取外しを確実に行うことを可能とする。
【００３１】
（上扉軸心線と平行にノズルホルダー配置）
また、大径穴と長穴は、上扉が開閉される軸心線と平行な軸心線に沿って形成されたため、上扉の前開きと後開きの両方について、ノズルホルダーのダルマ穴に対しノズルを係止する操作とノズルを取り外す操作が同じとなり、道路側及び監視員通路側の何れからの操作も簡単且つ確実に行えることを可能とする。
【００３２】
（第３発明の変形による効果）
また、箱形のノズルホルダーは、上扉の裏面に、上扉を前開きした場合に箱型開口が上向きとなり、上扉を後開きした場合に箱形開口が上扉裏面に当接するように、上扉の裏面に回動自在に配置されたため、上扉を後開きした場合は、第３発明と同じになるが、上扉を前開きした場合は、箱型のノズルホルダーが回動して扉裏面にノズルを懸架した状態に係止し、上扉の前開きに対しノズルの姿勢の変化が少なく、上扉を前開きした状態で道路画側から前扉と上扉の開口に伴う扉開口介してのノズルの取出しを容易に行うことを可能とする。
【００３３】
また、前扉を後開きした場合にノズルの係止姿勢の変化が少ないことから、上扉を前開きした場合のホースの引き上げ量が少なく、ホースの引き上げに伴って上扉に加わる荷重が低減し、上扉を軽い力で前開き可能とする。
【００３４】
更に、前開きされた上扉裏側で回動したノズルホルダーにノズルが懸架状態に係止されているため、ノズル後端に連結されたホースは、前扉を道路側から開閉しても常にホース収納部に向かって下向きとなって大きなホースの変形を起こすことがなく、上扉の道路側からの開閉が滑らかにできる。
【００３５】
（スイベルジョイントによる効果）
第１乃至第３発明の消火栓収納箱に於いて、ノズルとホースとの間を相対回転自在に連結させる回転自在継手が設けられたため、上扉の開閉によるノズルの移動に対しホースに軸回りのねじり力が加わっても、回転自在継手によりホース側が回転し、ホースにねじり力が加わらず、上扉をスムースに開閉可能とし、結果として、火災時の消火活動の迅速性と確実性が向上し、また、ホースの損耗も低減可能とする。
【００３６】
（上扉の前開き及び後開き構造による効果）
また、上扉は、筐体の上面扉開口に、上扉の後縁部を軸として上下回りに開閉自在に軸支されると共に、上扉の前縁部を軸として上下回りに開閉自在に軸支されたため、道路側から上扉を前開きしてノズルを取り出す場合、また、監視員通路側から上扉を後開きしてノズルを取り出す場合のいずれについても、開放された上扉の裏面にノズルが係止されて利用者の目の前に出現することから、違和感なく、簡単且つ容易にノズルを取り出してホースを引き出すことを可能とする。
【００３７】
（上扉のダブル扉構造による効果）
また、上扉は、上面扉開口に、筐体の前縁コーナー部を軸として後開き自在に軸支された第１上扉と、第１上扉に形成された扉開口に、扉後縁部を軸として前開き自在に軸支された第２上扉とにより構成され、第２上扉の裏面にノズルホルダーが設けられたため、扉裏面のノズルホルダーにより係止された状態でノズルが利用者の目の前に出現し、ノズルを簡単且つ容易に取り出してホースを引き出すことを可能とする。
【００３８】
また、道路側から操作する場合には、扉面積の小さい第２上扉を開くと扉裏面のノズルホルダーにより係止された状態でノズルが利用者の目の前に出現し、ノズルを簡単且つ容易に取り出してホースを引き出すことを可能とする。
【００３９】
また、第１上扉を監視員通路側から後開きした場合にも、第１上扉と一体に後開きされた第２上扉の扉裏面にノズルホルダーにより係止された状態でノズルが利用者の目の前に出現し、監視通路側からノズルを簡単且つ容易に取り出してホースを引き出すことを可能とする。
【図面の簡単な説明】
【００４０】
【図１】自動車専用道路のトンネル内に設置された消火栓設備を含むトンネル非常用設備を示した説明図
【図２】通常時における消火栓収納箱の外観を示した説明図
【図３】図２の消火栓収納箱の外観を側面から示した説明図
【図４】ノズル係止構造の第１実施形態を備えた消火栓収納箱を正面から示した説明図
【図５】図４のノズル係止構造を、筐体前面側を破断して示した説明図
【図６】ノズル係止構造の第１実施形態を備えた消火栓収納箱を平面から示した説明図
【図７】消火栓収納箱の内部構造を示した説明図
【図８】前開き機構が設けられた消火栓収納箱の前開きハンドルの部分を取り出して示した説明図
【図９】第２上扉を前開きして前扉の落下によりスライド開放させる前開き機構の機構構造を示した説明図
【図１０】道路側から操作した場合の前扉と第２上扉の開放状態を正面から示した説明図
【図１１】道路側から操作した場合の前扉と第２上扉の開放状態を示した斜視図
【図１２】監視員通路側から操作した場合の第１上扉の開放状態を正面から示した説明図
【図１３】監視員側から操作した場合の第１上扉の開放状態を示した斜視図
【図１４】ノズル係止構造の第２実施形態を備えた消火栓収納箱を、筐体前面側を破断して正面から示した説明図
【図１５】ノズル係止構造の第３実施形態を備えた消火栓収納箱を正面から示した説明図
【図１６】図１５の扉閉鎖状態でのノズルホルダーによる泡ノズルの係止状態を取り出して側面断面で示した説明図
【図１７】図１５の消火栓収納箱を道路側から操作した場合の前扉と第２上扉の開放状態を正面から示した説明図
【図１８】第２上扉の前開き状態及び第１上扉の後開き状態でのノズルホルダーによる泡ノズルの係止状態を取り出して断面で示した説明図
【図１９】図１５の消火栓収納箱を道路側からの操作によりノズルを取り出してホースを引き出す状態を正面から示した説明図
【図２０】第３実施形態を変形したノズル係止構造を備えた消火栓収納箱を正面から示した説明図
【図２１】図２０の扉閉鎖状態でのノズルホルダーによる泡ノズルの係止状態を取り出して側面断面で示した説明図
【図２２】図２０について第２上扉の前開き状態及び第１上扉の後開き状態でのノズルホルダーによる泡ノズルの係止状態を取り出して断面で示した説明図
【図２３】消火栓収納箱における扉構造の他の実施形態を示した説明図
【図２４】図２３の消火栓収納箱を道路側から操作する場合の前扉と上扉の開放操作を示した説明図
【図２５】図２３の消火栓装置を監視員通路側から操作する場合の上扉の開放操作を示した説明図
【発明を実施するための形態】
【００４１】
［トンネル非常用設備の概要］
図１は自動車専用道路のトンネル内に設置された消火栓設備を含むトンネル非常用設備を示した説明図である。図１に示すように、シールド工法により構築されたトンネル１０内は円筒形のトンネル壁面１２により覆われ、床版１８により仕切られることで道路１５が設けられており、この例にあっては、道路１５は１方向２車線としている。
【００４２】
床版１８で仕切られた道路１５の左側のトンネル壁面１２に沿って監視員通路１４が設けられ、監視員通路１４の下側の内部空間はダクト２２として利用され、電線管等が敷設される。監視員通路１４は例えば高さが９０センチメートル、横幅が７０センチメートルといった大きさをもつ。
【００４３】
道路１５が形成された床版１８の下側はトンネル横方向に複数の区画に仕切られており、例えば、監視員通路１４の下に位置する区画は、管理用通路２０として使用され、また、管理用通路２０はトンネル内での火災発生時には、緊急避難通路として使用される。管理用通路２０には給水本管２４が敷設されている。
【００４４】
トンネル１０の長手方向の５０メートルおきには、消火栓設備１６が設置され、消火栓設備１６はホースが収納された消火栓収納箱３０と放水制御機構収納部２６に分離して設置されている。
【００４５】
消火栓収納箱３０は、監視員通路１４の路面及び道路１５側の壁面にかけて箱形に刳り貫かれた消火栓埋込部に配置されている。放水制御機構収納部２６は、消火栓収納箱３０の下側となる管理用通路２０に配置され、給水本管２４から分岐した分岐配管２４ａが引き込まれ、また、消火栓収納箱３０に消火用水を供給する給水配管２５が立ち上げられている。
【００４６】
［消火栓設備］
図２は通常時における消火栓収納箱の外観を示した説明図、図３は図２の消火栓収納箱の外観を側面から示した説明図である。
【００４７】
（消火栓収納箱の外観構造）
図２に示すように、消火栓設備１６の消火栓収納箱３０は、監視員通路１４の路面下の内部空間に埋込み設置されている。消火栓収納箱３０は、筐体３１の前面中央の上側に形成された前面扉開口３３に前扉３２が上下方向にスライド自在に配置されている。
【００４８】
また、消火栓収納箱３０の監視員通路１４の路面側となる上面中央に形成された第１上面扉開口３５には、前扉３２と同じ横幅の第１上扉３４が配置されている。更に、第１上扉３４の前側中央には第２上面扉開口３７が形成され、ここに第２上扉３６が配置されている。
【００４９】
第１上扉３４は扉前縁の両側を、筐体３１の上部の前縁コーナー部に配置したヒンジ４６により軸支されており、図３の第１上扉３４ａに示すように、ヒンジ４６を中心に上向きに開放させる後ろ開きができるようにしている。
【００５０】
第２上扉３６は扉後縁を第１上扉３４の第２上面扉開口３７にヒンジ４２により軸支しており、図３の第２上扉３６ａに示すように、ヒンジ４２を中心に開放させる前開きができるようにしている。
【００５１】
第２上扉３６の前縁にはヒンジ４４により前開きハンドル３８が軸支されており、前開きハンドル３８のハンドル本体に設けられた前開き機構により、第２上扉３６の閉鎖状態で、前扉３２が図示の閉鎖状態に係止されており、利用者が道路１５側から操作する場合には、前開きハンドル３８を開操作すると、第２上扉３６に対する前扉３２の係止が解除され、前扉３２は自重により筐体３１の裏側に落下して前面扉開口３３を開放させ、また、第１上扉３６を前開きすることで、消火栓収納箱３０の第２上面扉開口３７を開放させる。
【００５２】
ここで、第１上扉３４を筐体３１の前縁コーナー部に軸支させるヒンジ４６と、第２上扉３６の前縁に前開きハンドル３８を軸支させるヒンジ４４は、両者の軸心線が同軸となるように配置されており、筐体３１及び前扉３２を閉鎖位置に係止している前開きハンドル３８を固定側として、ヒンジ４４，４６により第２上扉３６と共に第１上扉３４を後開き自在に軸支している。
【００５３】
消火栓収納箱３０の前面左上部には通報装置パネル４８が設けられる。通報装置パネル４８には、赤色表示灯５０及び発信機５２、応答ランプ５４及び電話ジャック５５が設けられている。赤色表示灯５０は常時点灯し、消火栓設備の設置場所が遠方から分かるようにしている。火災時には、発信機５２を押して押し釦スイッチをオンすると、発信信号が監視室の監視センター等に設置された防災受信盤に送信されて火災警報が出され、これに伴い応答信号が防災受信盤から送られて、応答ランプ５４が点灯され、更に、赤色表示灯５０が点滅される。
【００５４】
［ノズル係止構造の第１実施形態］
（ノズル係止構造）
図４はノズル係止構造の第１実施形態を備えた消火栓収納箱を正面から示した説明図、図５は図４のノズル係止構造を筐体前面側を破断して示した説明図、図６はノズル係止構造の第１実施形態を備えた消火栓収納箱を平面から示した説明図である。
【００５５】
図４乃至図６に示すように、本実施形態のノズル係止構造８６は、第２上扉３６の裏面の横方向に、下向きに開いたリング状のホルダー金具を用いたズルホルダー８８とホースホルダー９０が配置されている。
【００５６】
ノズルホルダー８８とホースホルダー９０は、図６の平面に示すように、第２上扉３６がヒンジ４４により開閉される軸心線と平行な軸心線９１に沿って配置されており、且つ、軸心線９１は第２上扉３６の横方向の中心線である。
【００５７】
筐体３１内に収納されたホース７６の先端には、回転自在継手として機能するスイベルジョイント９４を介して泡ノズル７８が連結されており、泡ノズル７８におけるグリップ９３を備えた円筒状のノズル本体９２が第２上扉３６の裏面のノズルホルダー８８に嵌め込まれることで着脱自在に係止され、これに伴いホース７６の先端側が第２上扉３６の裏面のノズルホルダー８８に続くホースホルダー９０に嵌め込まれることで着脱自在に係止されている。
【００５８】
また、ノズルホルダー８８とホースホルダー９０は第２上扉３６の横方向の中心線となる軸心線９１に沿って配置されていることから、泡ノズル７８はホース７６の先端側と共に、第２上扉３６の横方向の中心線と同軸に係止されている。
【００５９】
更に、ノズルホルダー８８により係止された泡ノズル７８に連結されたホース７６はホースホルダー９０に係止された後に、ホース重量により下向きに屈曲してホース収納部に降りているが、ホースホルダー９０によりホース７８の先端を係止することで、ホース７８の重量によるノズル連結部分でのキンク（折れ曲がり）が起きないようにしている。
【００６０】
（消火栓収納箱の内部構造）
図７は消火栓収納箱の内部構造を示した説明図であり、図７（Ａ）は正面を示し、図７（Ｂ）は図７（Ａ）のＸ−Ｘ断面から見た平面を示す。
【００６１】
図７に示すように、消火栓収納箱３０における筐体３１の内部下側はホース収納部７４となっており、保形構造のホース７６を水平回りに重ねて内巻きしている。
【００６２】
筐体３１の平面からみた長方形は、横幅は約１．４メートル程度、奥行きは約０．３５メートル程度であることから、ホース収納部７４にホース７６を内巻きした場合、ホース７６の内巻き形状は、２つの平行線と２つの半円からなる角丸長方形となり、平面長方形の筐体３１内に内巻きされたホース７６の１ターンの長さは概ね３．５メートル程度となり、ホース長さは３０メートル以上必要とすることから、ホース７６は９ターン以上重ねて内巻きすればよい。
【００６３】
ここで、筐体３１内に角丸長方形に内巻きされたホース７６を、平行線ホース部分７６ａ，７６ｃ及び半円ホース部分７６ｂ，７６ｄで示している。
【００６４】
筐体３１の中央前面側には、筐体３１内に角丸長方形に内巻きされるホース７６の前面側の平行線部分７６ａを内側に変形させるホースガイド構造８０が設けられる。
【００６５】
ホースガイド構造８０は金属パイプを用いた４本のガイドパイプ８０ａ，８０ｂ，８０ｃ，８０ｄを底板８１に起立させており、両端のガイドパイプ８０ａ，８０ｄは筐体３１の内面に沿って起立され、中央のガイドパイプ８０ｂ，８０ｃは所定長さ内側に離して起立させ、ホース７６をホースガイド構造８０のガイドパイプ８０ａ，８０ｂ，８０ｃ，８０ｄに沿って内巻きすることで、ホース７６の前面側の平行線ホース部分７６ａが内側に変形されて略ひょうたん形に近い形状となり、この変形によりホース７６の変形された平行線ホース部分７６ａには外側に広がろうとする反発力が発生している。
【００６６】
このようなホースガイド構造８０が設けられたことで、筐体３１内に重ねて内巻きされたホース７６は、角丸長円形の平行線ホース部分７６ａがホースガイド構造８０により内側に変形されることで、外側に広がろうとする反発力が発生し、筐体３１の内壁側に押し付ける力が発生することで、重ねて内巻きしたホース７６の平行線ホース部分７６ａ，７６ｃが長くなっても内側に崩れてしまうことを確実に防止可能とする。
【００６７】
ここで、ホースガイド構造８０はホース７６の前面側の平行線ホース部分７６ａを内側に変形させ、背面側の平行ホース部分７６ｃは内側に変形させていないが、平行線ホース部分７６ａの内側へ変形により、ホース７６全体として外側に広がろうとする力が増加し、内側に変形させていない背面側の平行ホース部分７６ｃについても、内側に崩れてしまうことを確実に防止可能となる。
【００６８】
また、前扉３２及び第２上扉３６又は第１上扉３４を開いてホース７６を外部に引き出す場合には、ホース７６の半径ホース部分７６ｂ，７６ｄの変形によるホースを押し出そうとする力に加え、ホース７６の平行線ホース部分７６ａについても、ホースガイド構造８０による内側への変形でホース７６を押し出そうとする力が発生し、ホース７６の引き出し力を低減可能とする。
【００６９】
ホースガイド構造８０の上部には、図２に示した前面扉開口３３、第１上面扉開口３５及び第２上面扉開口３７の内側を囲むように、ガイドパイプ８２ａ〜８２ｄ及びガイドパイプ８４ａ，８４ｂが配置され、ホース７６を外部に引き出す際にガイドパイプ８２ａ〜８２ｄ又はガイドパイプ８４ａ，８４ｂに摺接させることで、ホース７６の損耗を防止すると共にホース引き出し力を低減させている。
【００７０】
また、第２上扉３６の裏面にはノズルホルダー８８とホースホルダー９０によりホース７６の先端に連結された泡ノズル７８が着脱自在に係止されている。
【００７１】
このため第２上扉３６を前開き又は第１上扉３４を第２上扉３６と共に後開きすると、扉裏面に係止されている泡ノズル７８が消火栓収納箱３０の上部に現れることになる。
【００７２】
第２上扉３６の前開きで扉裏面に保持されている泡ノズル７８が現れる位置は、路面１５から概ね０．７〜１．３メートルの範囲のいずれかとなり、これは路面１５に立った利用者の腰から肩までの範囲に相当し、目の前に泡ノズル７８が出現することから、泡ノズル７８の取出しが容易にできる。
【００７３】
また、第１上扉３４の後開きで扉裏面に保持されている泡ノズル７８が現れる位置は、監視員通路１４の路面から概ね０．２〜０．４メートルの範囲のいずれかとなり、監視員通路１４に体をかがめて後開きハンドル４０を操作している利用者の目の前に泡ノズル７８が出現し、利用者は監視員通路１４側からノズル７８を容易に取り出すことができる。
【００７４】
また、筐体３１の上面開口の右側内部にはパイロット配管が設けられ、パイロット配管には消火栓弁開閉レバーを備えたパイロットが配置されているが、図示を省略している。消火栓弁開閉レバーを開操作すると、パイロット弁が開放され、図１に示した放水制御機構収納部２６に分離配置された消火栓弁を遠隔的に開放させることができる。
【００７５】
（前開き機構）
図８は前開き機構が設けられた消火栓収納箱の前開きハンドルの部分を取り出して示した説明図であり、図８（Ａ）は正面を示し、図８（Ｂ）は図８（Ａ）のＹ−Ｙから見た側面を示す。図９は第２上扉を前開きして前扉の落下によりスライド開放させる前開き機構の機構構造を示した説明図であり、図９（Ａ）は閉鎖状態を示し、図９（Ｂ）は前開きハンドルを開操作した状態を示す。
【００７６】
図８に示すように、消火栓収納箱３０の上面に配置された第２上扉３６の先端にヒンジ４４で軸支された前開きハンドル３８のハンドル本体３８ａの両側には、前開き機構の軸部材５６が取り出されおり、第２上扉３６の閉鎖状態で軸部材５６の先端は、前扉３２の裏側に配置された軸受部材５８の軸穴に挿入されており、これにより第２上扉３６に前扉３２が係止され、閉鎖位置に保持されている。
【００７７】
軸部材５６は前開きハンドル３８をリフトアップすると、内側に引き込まれ、軸受部材５８の軸穴から抜けることで、前扉３２の係止が解除され、前扉３２は自重によりスライドしながら落下して前面扉開口３３を開放させる。
【００７８】
図９（Ａ）に示すように、前開き機構６０は、ハンドル本体３８ａ内に、一対の屈曲したリンク６２の一端が移動支点６４で連結され、リンク６２の屈曲位置が回動支点６６としてハンドル本体３８ａ側に固定され、リンク６２の他端はスライド支点７０として、軸部材５６の軸端の支点６８に連結されており、更に、移動支点６４はスプリング７２により図示で上方向に付勢されている。
【００７９】
前開きハンドル３８を操作していない場合、スプリング７２の力を受けて、リンク６２は外側に回動することで、軸部材５６を軸受部材５８の軸穴５８ａに嵌め入れ、２上扉３６に前扉３２を係止させている。
【００８０】
前開きンドル３８をリフトアップすると、図９（Ｂ）に示すように、図示しないリンク機構を介して移動支点６４がスプリング７２に抗して下側に移動し、これによりリンク６２は内側に回動し、軸部材５６を内側に引き込むことで、軸受部材５８の軸穴５８ａから軸部材５６の先端を引き外し、前扉３２の係止が解除され、前扉３２は自重によりスライドしながら落下して前面扉開口３３を開放させる。
【００８１】
なお、前開き機構６０は図９のリンク機構に限定されず、前開きハンドル３２のリフトアップにより軸部材５６を内側に引き込んで軸受部材５８の軸穴５８ａから引き外す適宜のリンク機構が含まれる。
【００８２】
（道路側から第２上扉及び前扉を開放させる操作）
図１０は道路側から操作した場合の前扉と第２上扉の開放状態を正面から示した説明図、図１１は道路側から操作した場合の前扉と第２上扉の開放状態を示した斜視図である。
【００８３】
図１０及び図１１に示すように、利用者が道路側から消火栓収納箱３０を操作する場合には、前開きハンドル３８をリフトアップすると、前扉３２の係止が解除され、前扉３２は自重によりスライド落下し、前面扉開口３３が開放される。
【００８４】
続いて、利用者が第２上扉３６を奥行方向に開く前開き操作を行うと、ハンドル本体３８ａの両側に配置されている軸部材５６が前扉３２の裏面の軸受部材から抜き出され、第２上扉３６はヒンジ４２を中心に前開きされ、第２上面扉開口３７が開放される。
【００８５】
このとき第２上扉３６の裏側に配置されているノズルホルダー８８とホースホルダー９０に係止されたホース７６の先端の泡ノズル７８は、道路にいる利用者の目の前に出現し、容易に泡ノズル７８を取り出してホース７６を引き出すことができる。
【００８６】
（監視員通路側から上扉を開放させる操作）
図１２は監視員通路側から操作した場合の第１上扉の開放状態を正面から示した説明図、図１３は監視員側から操作した場合の第１上扉の開放状態を示した斜視図である。
【００８７】
図１２及び図１３に示すように、利用者が監視員通路側から消火栓収納箱３０を操作する場合には、利用者が監視員通路から体をかがめて後開きハンドル４０をリフトアップすると、第１上扉３４の後縁側の筐体３１側に対する係止が解除され、前縁コーナー部のヒンジ４６を中心に、第１上扉３４は後開きされ、第１上面扉開口３５が開放される。
【００８８】
このとき第１上扉３４と一体に第２上扉３４もヒンジ４４を中心に後開きされ、ヒンジ４４で軸支された前開きハンドル３８は動くことがなく、前開きハンドル３８に設けられた図９に示した前開き機構６０の軸部材５６の先端は前扉３２の裏面に配置された軸部材５８の軸穴５８ａに嵌め込まれた状態を維持しており、前扉３２の閉鎖状態への係止を保持したまま、第２上扉３６は第１上扉３４と一体に後開きされる。
【００８９】
第１上扉３４の後開きにより第１上面扉開口３５が開放されると、図１２に示すように、第２上扉３６の裏側に配置されているノズルホルダー８８及びホースホルダー９０に係止されたホース７６の先端の泡ノズル７８が、監視員通路で体をかがめている利用者の目の前に出現し、容易に泡ノズル７８を取り出してホース７６を引き出すことができる。
【００９０】
［ノズル係止構造の第２実施形態］
図１４はノズル係止構造の第２実施形態を備えた消火栓収納箱を、筐体前面側を破断して正面から示した説明図である。
【００９１】
図１４に示すように、本実施形態のノズル係止構造は、第２上扉３６の裏面の横方向に、下向きに開いたリング状のホルダー金具を用いた一対のノズルホルダー８８が配置されている。
【００９２】
一対のノズルホルダー８８は、図６に示した第１実施形態のノズルホルダー８８とホースホルダー９０の場合と同様に、第２上扉３６が開閉される軸心線と平行な軸心線に沿って配置されており、且つ、一対のノズルホルダー８８が配置される軸心線は第２上扉３６の横方向の中心線である。
【００９３】
一対のノズルホルダー８８に着脱自在に係止される本実施形態の泡ノズル７８は、先端に放水口を備え途中にグリップ９３を備えた円筒状のノズル本体９２の中心軸線９５に対し所定角度θで交差する軸心線９７の方向にホース接続部９６が設けられており、ホース接続部９６の下端に回転自在継手として機能するスイベルジョイント９４を介してホース７６が連結されている。
【００９４】
ノズル本体９２のホース接続部９６の中心軸線９５と軸心線９７の交差角θは、４５°〜９０°の範囲の所定角度に設定され、本実施形態では例えばθ＝６０°としている。
【００９５】
第２上扉３６の裏面に配置された一対のノズルホルダー８８は、泡ノズル７８におけるグリップ９３の両側のノズル本体９２の部分を係止する所定の間隔で分離配置されている。
【００９６】
また、泡ノズル７８は一対のノズルホルダー８８に係止された状態でノズル本体９２を軸回りに回動自在に係止している。このため第２上扉３６の前開き又は後開きを行った場合のホース７６を引き上げる動きに対し、泡ノズル７８が回動してホース接続部９６が常に下向きに位置するようになり、第２上扉３６を前開き又は後開きした場合のホース７６に引き上げによる移動距離を短くし、また、ホース７６がキンクするような曲がりが発生しないようにしている。
【００９７】
更に、第２上扉３６を前開きした場合と後開きした場合において、ノズルホルダー８８に対し泡ノズル７８がホース接続部９６を下向きとするように回動することで、泡ノズル７８のグリップ９３も常に下向きとなり、道路側又は監視員通路側からの泡ノズル７８を取出す操作が容易となる。
【００９８】
これ以外の構造及び機能は、前述した第１実施形態によるノズル保持構造と基本的に同じになる。
【００９９】
［ノズル係止構造の第３実施形態］
図１５はノズル係止構造の第３実施形態を備えた消火栓収納箱を正面から示した説明図、図１６は図１５の扉閉鎖状態でのノズルホルダーによる泡ノズルの係止状態を取り出して側面断面で示した説明図、図１７は図１５の消火栓収納箱を道路側から操作した場合の前扉と第２上扉の開放状態を正面から示した説明図、図１８は第２上扉の前開き状態及び第１上扉の後開き状態でのノズルホルダーによる泡ノズルの係止状態を取り出して断面で示した説明図、図１９は図１５の消火栓収納箱を道路側からの操作により泡ノズルを取り出してホースを引き出す状態を正面から示した説明図である。
【０１００】
図１５乃至図１９に示すように、本実施形態のノズル係止構造は、第２上扉３６の裏面に箱形ノズルホルダー１００が配置され、箱形ノズルホルダー１００の下側に形成されたダルマ穴１０２に泡ノズル７８が嵌め込まれて着脱自在に懸架されている。
【０１０１】
箱形ノズルホルダー１００は、図１９の第２上扉３６を前開きして泡ノズル７８を取り外した状態に示すように、第２上扉３６の横方向の中心線１０５に沿って配置さており、箱形の底面には中心線１０５の方向にダルマ穴１０２が形成されている。
【０１０２】
ダルマ穴１０２は大径穴１０２ａに小径穴１０２ｂを連結して長穴１０２ｃとした穴形状を有する。大径穴１０２ａは泡ノズル７８の逆テーパ先端部９８の先端外径に所定の隙間寸法を加えた穴径をもち、外側から泡ノズル７８の先端を出し入れ自在としている。
【０１０３】
また、長穴１０２ｃはノズル本体９２の外径に所定の隙間寸法を加えた横幅をもち、大径穴１０２ａから逆テーパ先端部９８を嵌め入れた後に、ノズル本体９２の部分を長穴１０２ｃに位置させることでスライド自在とする。
【０１０４】
更に、小径穴１０２ｂは、逆テーパ先端部９８の途中の外径に対応した穴径を持ち、長穴１０２ｃを介してスライドさせた逆テーパ先端部９８の下側嵌め入れて懸架状態とし、長穴１０２ｃ側に抜け出さないようにしている。
【０１０５】
本実施形態のノズル係止構造によれば、第２上扉３６が閉鎖している通常監視状態にあっては、図１５及び図１６に示すように、泡ノズル７８は逆テーパ先端部９８を箱形ノズルホルダー１００のダルマ穴１０２に嵌め入れて懸架した状態に係止されている。
【０１０６】
また、利用者が道路側から操作するため、前開きハンドル３８の操作により前扉３２をスライド落下して開放させると共に第２上扉３６を前開きした場合には、図１７及び図１８（Ａ）に示すように、前開きした第２上扉３６の裏面の箱形ノズルホルダー１００に係止された泡ノズル７８のホース連結側が手前側に飛び出した状態で利用者の目前に出現し、利用者は泡ノズル７８をダルマ穴１０２の大径穴１０２ａに向けて横にスライドさせることで、泡ノズル７８を箱形ノズルホルダー１００から外し、図１９に示すように、道路側に泡ノズル７８を持ってホース７６を引き出すことができ、迅速且つ確実な消火作業を可能とする。
【０１０７】
また、利用者が監視員通路側から操作するため、後開きハンドル４０の操作により第２上扉３６と一体に第１前扉３４を後開きした場合には、図１８（Ｂ）に示すように、第１上扉３４と一体に後開きした第２上扉３６の裏面の箱形ノズルホルダー１００に係止された泡ノズル７８のホース連結側が背面側に飛び出した状態で監視員通路にいる利用者の目前に出現し、利用者は泡ノズル７８をダルマ穴１０２の大径穴１０２ａに向けて横にスライドさせることで、泡ノズル７８を箱形ノズルホルダー１００から外し、監視員通路側に泡ノズル７８を持ってホース７６を引き出すことができ、迅速且つ確実な消火作業を可能とする。
【０１０８】
［第３実施形態の変形例］
図２０は第３実施形態を変形したノズル係止構造を備えた消火栓収納箱を正面から示した説明図、図２１は図２０の扉閉鎖状態でのノズルホルダーによる泡ノズルの係止状態を取り出して側面断面で示した説明図、図２２は図２０について第２上扉の前開き状態及び第１上扉の後開き状態でのノズルホルダーによる泡ノズルの係止状態を取り出して断面で示した説明図である。
【０１０９】
本実施形態のノズル係止構造は、図２０及び図２１に示すように、第３実施形態と同様に、第２上扉３６の裏面に、ダルマ穴１０２を底面に形成した箱形ノズルホルダー１００を設けているが、箱形ノズルホルダー１００を固定せずに、ヒンジ１０４により第２上扉３６の前開きに伴って回動自在に設けたことを特徴とする。なお、ダルマ穴１０２は、図１９に示したと同様に、大径穴１０２ａ、長穴１０２ｂ及び小径穴１０２ｃで構成されている。
【０１１０】
図２１に示すように、第２上扉３６が閉鎖されている通常状態で、箱形ノズルホルダー１００は、上側となる箱形開口端の奥行側（後方側）をヒンジ１０４により回動自在に軸支している。このため第２上扉３６の閉鎖状態では、箱形ノズルホルダー７８のダルマ穴１０２に対する逆テーパ先端部９８の嵌め込みにより泡ノズル７８は懸架状態にあり、筐体内のホース収納部から引き出したホース７６の曲がりによる押し上げ力を受け、箱形ノズルホルダー１００は、上部の箱形開口端を第２上扉３６の裏面に押し当てた状態となっている。
【０１１１】
なお、ホース７６の状態によっては、泡ノズル７８を押し上げる力が発生しない場合もあり、この場合には、泡ノズル７８及びホース７６の重みにより、箱形ノズルホルダー１００はヒンジ１０４を中心に、下向きに若干開いた状態となっている。
【０１１２】
ヒンジ１０４による箱形ノズルホルダー１００の回動構造に伴い、ヒンジ１０４の反対側の箱形開口端の外側にストッパ片１０６が形成され、また、ヒンジ１０４の下側にゴム等の弾性材料で作られたストッパノブ１０８が設けられている。
【０１１３】
利用者が道路側から操作するため、前開きハンドル３８の操作により前扉３２をスライド落下して開放させると共に第２上扉３６を前開きした場合には、図２０及び図２２（Ａ）に示すように、泡ノズル７８とホース７６の重みによる力を受けて、箱形ノズルホルダー１００はヒンジ１０４を中心に回動してストッパノブ１０８が扉裏面に当接する位置に開いて保持される。
【０１１４】
このようにヒンジ１０４を中心に箱形ノズルホルダー１００が開いた位置に保持されると、箱型ノズルホルダー１００のダルマ穴１０２に嵌め入れて係止している泡ノズル７８は、下向きに懸架された状態で監視員通路にいる利用者の目前に出現し、利用者は開放された前扉の前面扉開口３３及び開放された第２上扉３６の第２上面扉開口３７から手を入れ、泡ノズル７８をダルマ穴１０２の大径穴１０２ａ（図１９参照）に向けて横にスライドさせることで、下向きに懸架されている泡ノズル７８を箱形ノズルホルダー１００から外し、図１９に示したと同様に、道路側に泡ノズル７８を持ってホース７６を引き出すことができ、迅速且つ確実な消火作業を可能とする。
【０１１５】
また、第２上扉３６を前開きし、泡ノズル７８を係止している箱形ノズルホルダー１００がヒンジ１０４を中心に回動して開く場合のホース７６の移動長さは僅かで変形も少なく、第２上扉３６の開閉をスムースに行うことを可能とする。
【０１１６】
また、利用者が監視員通路側から操作するため、後開きハンドル４０の操作により第２上扉３６と一体に第１前扉３４を後開きした場合には、図２２（Ｂ）に示すように、箱形ノズルホルダー１００は、第２上扉３６の後開きに伴いヒンジ１０４が上側に位置することで、泡ノズル７８が係止された箱形ノズルホルダー１００は箱形開口端を扉裏面に押し付ける力を受け、ストッパ片１０６を扉裏面に当接した状態となる。
【０１１７】
このように前開きした第２上扉３６の裏面の箱形ノズルホルダー１００に係止された泡ノズル７８は、ホース連結側が奥行側に飛び出した状態で監視員通路にいる利用者の目前に出現し、利用者は泡ノズル７８をダルマ穴１０２の大径穴１０２ａ（図１９参照）に向けて横にスライドさせることで、泡ノズル７８を箱形ノズルホルダー１００から外し、監視員通路側に泡ノズル７８を持ってホース７６を引き出すことができ、迅速且つ確実な消火作業を可能とする。
【０１１８】
［扉開閉構造の他の実施形態］
図２３は消火栓収納箱における扉構造の他の実施形態を示した説明図、図２４は図２３の消火栓収納箱を道路側から操作する場合の前扉と上扉の開放操作を示した説明図、図２５は図２３の消火栓装置を監視員通路側から操作する場合の上扉の開放操作を示した説明図である。
【０１１９】
（上扉の前開き構造）
図２３に示す本実施形態の扉開閉構造は、図２の上扉を第１上扉３４と第２上扉３６に分けた実施形態に対し、上扉１１０を一枚扉とし、上扉１１０を前開き及び後開き自在に軸支させたことを特徴とする。
【０１２０】
利用者が道路側から操作する場合には、前開きハンドル３８を操作すると、前扉３２の係止が解除されてスライド落下し、図２４に示すように開放される。また、上扉１１０は前開きハンドル３８を持って上向きに開くことで開放され、例えば第１実施形態のノズル係止構造を例とると、このとき上扉１１０の裏面に配置されたノズルホルダー８８及びホースホルダー９０に係止された泡ノズル７８及びホース７６が利用者の目の前に出現する。
【０１２１】
上扉１１０に対する前扉３２の係合は、図８及び図９に示したと同じ構造であり、利用者が監視員通路側から操作する場合には、前開きハンドル３８を操作するとハンドル本体３８ａの両側に取り出された軸部材５０が引き込まれ、前扉３２の裏面に配置された軸受部材５８の軸穴から抜けることで、前扉３２との係止が解除され、前扉３２のスライド落下による開放及び上扉１１０の開放ができる。
【０１２２】
上扉１１０を前開きするための構造は、図２４に示すように、上扉１１０の後開きハンドル１１２のハンドル本体１１２ａから両側に軸部材１１４が取り出され、軸部材１１４の先端は筐体３１に固定された軸受部材１１６の軸穴に嵌め入れられている。この構造は図８及び図９に示した前開きハンドル３８側と同じ開閉構造となる。
【０１２３】
このため上扉１１０は、後開きハンドル１１２の軸部材１１４を筐体３１側の軸受け部材１１６に嵌め入れて軸支させることで、両者の軸心線を中心に上下方向に開閉される。
【０１２４】
（上扉の後開き構造）
図２３の消火栓収納箱３０を利用者が監視員通路側から操作する場合には、後開きハンドル１１２を操作すると、筐体３１側との係止が解除され、上扉１１０を図２５に示すように後開きすることができる。このとき上扉１１０の裏面に配置されたノズルホルダー８８とホースホルダー９０に係止された泡ノズル７８及びホース７６が、体をかがめている利用者の目の前に出現する。
【０１２５】
上扉１１０を後開きするための開閉構造は、図２４に示すように、上扉１１０の前縁両側の裏面側に軸部材１２０が支持され、これに対応して筐体３１の上面扉開口１２２の前縁両側に、上方に開口した半円筒状の軸受部材１１８が固定配置され、軸受部材１１８に上扉１１０の軸部材１２０が嵌め入れられた状態で、両者の軸心線を中心に、上扉１１０が後開き可能に軸支されている。
【０１２６】
また、上扉１１０の前縁中央に設けられた前開き操作ハンドル３８は、軸部材５６の先端が前扉３２の内側の軸部材５８に挿入されていることで、前扉３２を閉鎖状態に係止したまま、上扉１１０の後開きを可能としている。
【０１２７】
このような図２３乃至図２５に示す扉開閉構造の消火栓収納箱３０についても、上扉１１０の閉鎖状態で泡ノズル７８とホース７６の連結部分は扉裏面にノズルホルダー８８とホースホルダー９０に係止されており、上扉１１０を前開き及び後開きに引き上げられ、上扉１１０を開いた状態での泡ノズル７８の取出しを容易に行うことを可能とする。
【０１２８】
［本発明の変形例］
（ノズルホルダー）
上記の実施形態に示したノズルホルダーは、リング状に開いたホルダー金具に泡ノズルを着脱自在に係止するか、又は、箱形ノズルホルダーに形成したダルマ穴に泡ノズルを着脱自在に係止しているが、これに限定されない。例えば、磁気吸着により泡ノズルを扉裏面に着脱自在に係止しても良いし、マジックテープ（登録商標）により泡ノズルを扉裏面に着脱自在に係止しても良く、着脱自在であれば適宜の係止構造が含まれる。
【０１２９】
（泡消火栓設備）
上記の実施形態は、消火泡を放出させる泡消火栓設備を例にとっているが、これに限定されず、消火用水を放水させる消火栓設備としても良い。
【０１３０】
（その他）
上記の実施形態は、前扉を有する消火栓設備を例にとっているが、これに限定されず、前扉を有さない構造としても良い。
【０１３１】
また、上記の実施形態は、トンネル消火栓を例にとっているが、一般の道路に埋め込まれた消火栓に用いても良い。また、消火栓収納箱を埋め込まずに露出するようにしても良い。露出型の消火栓収納箱に用いる場合、上扉を開きやすく、泡ノズルを取り出す易くするために上扉が１メートル程度の高さに来るようにすることが好適である。また、例えば高さの異なる２つの通路面や、例えば体育館や舞台などの壇上とその下のような、それぞれ人が歩行可能な高さの異なる面とその面に接する壁面において本願消火栓収納箱を適用しても良い。
【０１３２】
また本発明は、その目的と利点を損なうことのない適宜の変形を含み、更に、上記の実施形態に示した数値による限定は受けない。
【符号の説明】
【０１３３】
１０：トンネル
１２：トンネル壁面
１４：監視員通路
１５：道路
１６：消火栓設備
１８：床版
２０：管理用通路
２２：ダクト
２４：給水本管
２４ａ：分岐配管
２５：給水配管
２６：放水制御機構収納部
３０：消火栓収納箱
３１：筐体
３２：前扉
３３：前面扉開口
３４：第１上扉
３５：第１上面扉開口
３６：第２上扉
３７：第２上面扉開口
３８：前開きハンドル
４０：後開きハンドル
４２，４４，４６：ヒンジ
４８：通報装置パネル
５６，１１４，１２０：軸部材
５８，１１６，１１８：軸受け部材
５８ａ：軸穴
６０：前開き機構
７４：ホース収納部
７６：ホース
７８：泡ノズル
８８：ノズルホルダー
９０：ホースホルダー
９２：ノズル本体
９４：スイベルジョイント
９６：ホース接続部
９８：逆テーパ先端部
１００：箱形ノズルホルダー
１０２：ダルマ穴
１０２ａ：大径穴
１０２ｂ：小径穴
１０２ｃ：長穴
１０４：ヒンジ
１０６：スチッパ片
１０８：ストッパノブ
１１０：上扉
【図１】
2018158037.tif 000003
【図２】
2018158037.tif 000004
【図３】
2018158037.tif 000005
【図４】
2018158037.tif 000006
【図５】
2018158037.tif 000007
【図６】
2018158037.tif 000008
【図７】
2018158037.tif 000009
【図８】
2018158037.tif 000010
【図９】
2018158037.tif 000011
【図１０】
2018158037.tif 000012
【図１１】
2018158037.tif 000013
【図１２】
2018158037.tif 000014
【図１３】
2018158037.tif 000015
【図１４】
2018158037.tif 000016
【図１５】
2018158037.tif 000017
【図１６】
2018158037.tif 000018
【図１７】
2018158037.tif 000019
【図１８】
2018158037.tif 000020
【図１９】
2018158037.tif 000021
【図２０】
2018158037.tif 000022
【図２１】
2018158037.tif 000023
【図２２】
2018158037.tif 000024
【図２３】
2018158037.tif 000025
【図２４】
2018158037.tif 000026
【図２５】
2018158037.tif 000027